(57)【要約】【課題】センサによって顧客を感知して、ＤＶＤプレイヤーやパソコンに予めセットされている専用記憶媒体より商品プロモーションプログラム（映像と音声）を再生する機能を備えた商品プロモーションシステを提供することを課題とする。【解決手段】本発明の商品プロモーションシステムは、人を感知して信号を発信する為のセンサユニット、信号を受信し商品プロモーションプログラムを記録した記憶媒体、そして記憶媒体を再生するプレイヤー又はパソコン、再生された映像や音声を出力するモニタ及びスピーカーで構成され、センサが顧客を感知した時にインパクトのある映像や音声で顧客の関心を一気に引き寄せるシステムである。【選択図】            図１
2004287130.tif 000002
【特許請求の範囲】
【請求項１】
人を感知し制御信号を発信するセンサユニットと、コンピュータグラフィックや実写映像と効果音や音楽などの音声で構成される商品プロモーションプログラム及びその記憶媒体と、前記センサユニットの制御信号を受信して前記記憶媒体を再生するプレイヤー又はコンピュータと、前記商品プロモーションプログラムを出力するモニタとスピーカーからなることを特徴とする商品プロモーションシステム。
【請求項２】
商品プロモーションプログラムが、待機部分、導入部分、宣伝部分で構成され、前記待機部分は顧客がいない時に再生され、センサが人を感知した時に前記導入部分、宣伝部分の順に再生され、前記待機部分は映像と音声無し、又は動植物を含む自然の風景の映像と静かな音楽、又は企業プロモーション映像や音声で構成され、前記導入部分は顧客の興味を引く映像と音楽や効果音などで構成され、前記宣伝部分は商品映像と音楽や効果音などで構成されることを特徴とする請求項１記載の商品プロモーションシステム。
【請求項３】
前記記憶媒体が、ＤＶＤやＶＣＤ、ＣＤＲ／ＲＷ、ＭＯ、フラッシュメモリ、ハードディスクであり、前記プレイヤー又はパソコンがそれぞれの記憶媒体に対応していることを特徴とする請求項１又は２記載の商品プロモーションシステム。
【発明の詳細な説明】
【０００１】
【発明の属する技術分野】
本発明は、店舗への来客時の商品プロモーションシステムに関し、特に、人をセンサによって感知して適切な商品プロモーション映像及び音声を再生するシステムに関する。
【０００２】
【従来の技術】
商品のプロモーション方法としては、その商品の映像を効果音や音楽と共に、一定時間もしくは営業時間中放映を継続するのが一般的である。近年、顧客情報をデータベースで一元管理して、特定の顧客が来店した時に、その顧客に応じた商品プロモーションを行うシステムが開発されている（特許文献１参照。）。
【０００３】
【特許文献１】
特開２００３−５８０９０号広報
【０００４】
【発明が解決しようとする課題】
前記従来例では、商品プロモーションの映像や音楽が効果的であっても、同じプロモーションプログラムが繰り返し流されることになるので、顧客の目や耳が徐々に慣れてしまい、プロモーションの効果が薄れてくることが否めなかった。
【０００５】
また、特定の顧客に応じたプロモーションを流す場合は、ＩＣカードやコンピュータネットワークを含むデータベースによる顧客管理システム、顧客毎のプロモーションプログラムなどを用意する必要があり、コスト的な負担が大きくなるという問題があった。
【０００６】
そこで本発明では、従来技術の問題点に鑑みなされたもので、センサによって顧客を感知して、ＤＶＤプレイヤーやパソコンに予めセットされている専用記憶媒体より、商品プロモーションプログラム（映像と音声）を再生する機能を備えた商品プロモーションシステムを提供することを課題とする。
【０００７】
【課題を解決するための手段】
請求項１記載の発明は、来客があったときにセンサで感知して、予め商品プロモーションプログラムが収められている記憶媒体を再生する商品プロモーションシステムであることを特徴とする。
【０００８】
本発明によれば、商品プロモーションプログラムは顧客がセンサに感知された時にのみ再生されるためインパクトがあると共に、顧客を識別するＩＣカードや照合するデータベースシステム等が不要であり、既存のパソコンやＤＶＤプレイヤーなどがそのまま利用可能である。
【０００９】
請求項２記載の発明は、商品プロモーションプログラムが待機部分、導入部分、宣伝部分の三部構成であり、顧客が商品売り場にいない時には待機部分が、顧客にセンサユニットが反応して導入部分、宣伝部分の順に再生されると共に、前記待機部分が映像と音声が共に無い状態、又は自然の風景や動植物などの落ち着いた映像と静かな音楽、又は企業のロゴやイメージなどのコマーシャル画像と音声で構成され、導入部分はコンピュータグラフィックやタレントなどの人目を引く映像と音楽や効果音で構成されており、宣伝部分は実際の商品の映像と人をひきつける音楽や効果音で構成されることを特徴とする。
【００１０】
本発明によれば、待機部分では比較的落ち着いた映像や静かな音楽を流して商品売り場の雰囲気を落ち着いたものとする効果があり、顧客が売り場に足を運ぶと導入部分がスタートし一気に顧客の興味を引き寄せると共に、宣伝部分で商品のＰＲを行い鮮明に印象付けることができる。
【００１１】
請求項３記載の発明は、前記記憶媒体が、ＤＶＤやＶＣＤ、ＣＤＲ／ＲＷ、ＭＯ、フラッシュメモリ、ハードディスクであり、前記プレイヤー又はパソコンが前記のそれぞれの記憶媒体に対応していることを特徴とする。
【００１２】
本発明によれば、例えば既存のＤＶＤプレイヤーやパソコンの多くが各種のディスクの再生機能を持っているので、そのまま利用することができる。また、最近ではハードディスクを用いた録画装置もあり、ＣＤＲ／ＲＷ、ＭＯ、フラッシュメモリなどの各種記憶媒体に応じた再生装置を用意し、様々な環境に柔軟に対応することができる。
【００１３】
【発明の実施の形態】
本発明の商品プロモーションシステムは、人を感知して信号を発信する為のセンサユニット、信号を受信し記憶媒体を再生するプレイヤー又はパソコン、再生された映像や音声を出力するモニタ及びスピーカーで構成され、センサが顧客を感知した時にインパクトのある映像や音声で顧客の関心を一気に引き寄せるシステムである。
【００１４】
【実施例】
以下、図面に基づいて本発明の実施例を詳細に説明する。
図１は本発明の商品プロモーションシステムの実施例である。センサ１ａが人を感知するとセンサユニット１からＤＶＤプレイヤー２内蔵のピックアップによるトラック読取指示の信号が発信される。前記信号はＤＶＤプレイヤー２のリモコンのトラック指示信号と同じ周波数であり、ＤＶＤプレイヤー２の受信部で受信される。ＤＶＤプレイヤー２は信号で指定されたＤＶＤ３のトラック、即ち導入部分と宣伝部分を再生後、ピックアップはＤＶＤ３の待機部分のトラックを読取る。ＤＶＤ３の映像はモニタ４に出力される。前記モニタ４としてはＣＲＴや液晶モニタ、プラズマディスプレイなどが使用できる。また、音声出力にはモニタに内蔵されたスピーカーや、スピーカー単体を使用する。
【００１５】
図２は図１でＤＶＤプレイヤー２の代わりにノート型パソコン５を接続した実施例である。前記ノート型パソコン５はＤＶＤプレイヤーを内蔵しており、センサユニット１より発信された信号を基に、ピックアップによるトラックの読取命令が実行される。ＤＶＤプレイヤーを備えたパソコンであればノート型に限らずデスクトップ型も使用でき、パソコンがビデオ出力端子を備えていれば、パソコンから前記の各種モニタに出力することも可能である。
【００１６】
図３はセンサユニット１とプレイヤー２又はパソコン５の接続方式を示している。図３（Ａ）の方式ではセンサユニット１とプレイヤー２は予めコードで接続されており、センサユニットの電源はプレイヤー２から供給される。
【００１７】
図３（Ｂ）はセンサユニット１を既存のＤＶＤプレイヤー２に接続する方式である。センサユニット１の電源は電源アダプタ７を介してコンセントより供給される。リモコンの赤外線受信部６ｂにコネクタ６ａを介して前記センサユニット１を接続する。センサ１ａは人を感知すると、ディスクの導入部分が収められているトラックを再生する命令を表す、赤外線のパルスコードを発信する。前記パルスコードはリモコンのトラック再生命令と同じ信号である。
【００１８】
図４（Ａ）はＤＶＤプレイヤー２がセンサ１ａを備えた方式であり、非常にコンパクトという利点がある。
【００１９】
記憶媒体の再生装置としては、前記ＤＶＤプレイヤー以外に各種プレイヤーを搭載したパソコン５も使用可能である。図４（Ｂ）にノート型パソコン５とセンサユニット１の接続方式を示す。この場合は、ノート型パソコン５のＵＳＢや赤外線通信ポート、ＲＳ２３２Ｃ等の各種通信ポートにコネクタ６ａを介してセンサユニット１を接続する。前記ＤＶＤプレイヤーと同様に、センサユニットからはプレイヤーの特定のトラックを再生する命令が発信される。
【００２０】
図５は商品プロモーションプログラムを収めたＤＶＤについて模式的に示した図である。トラック３ａは待機部分を記録しており、トラック３ｂは導入部分と宣伝部分を記録している。前記センサユニットからの信号を受信したプレイヤーはその命令に従い、ピックアップにより所定のトラックを読み取り、そのトラックに記録された部分を再生する。
【００２１】
前記商品プロモーションプログラムの待機部分については、映像と音声共に無い状態、又は自然の風景や生物の映像と環境音楽の組み合わせ、あるいは商品の製造元企業のトレードマークなどを含む企業コマーシャル映像と音声などで構成される。また、待機部分はセンサが顧客を感知しない限りはリピート再生されるのが好ましい。
【００２２】
商品プロモーションプログラムの導入部分はインパクトのあるコンピュータグラフィックや映像と音声で構成される。前記待機部分から導入部分への映像と音声における大きな変化で、顧客の興味を引き寄せることができる。また、続いて再生される宣伝部分は実際の商品の映像と解説や音声で構成される。導入部分から宣伝部分にスムーズに移行することで、顧客の購買意欲を高めることができる。
【００２３】
ＤＶＤなどは記憶容量が大きいことから長時間の映像や音声を納めることが可能である。例えば、図６に示すように一枚のディスクに待機部分のトラック３ａと、複数の導入部分と宣伝部分のトラック３ｂ〜３ｅを設けることができる。最初はトラック３ａ再生し、センサが人を感知するとトラック３ｂを再生後トラック３ａを再生し、更にセンサが感知するとトラック３ｃ再生後トラック３ａを再生し、次にセンサが人を感知するとトラック３ｄ再生後トラック３ａを再生し、続いてセンサが人を感知するとトラック３ｅを再生後トラック３ａに戻る。以下センサが人を感知する毎に前記ループを繰り返す。前記のように複数のトラックを設けることで顧客の関心を長時間引き寄せることができる。
【００２４】
本発明によるプロモーションプログラムは待機部分、導入部分、宣伝部分で構成されるのが好ましいが、開発コストを考慮し、前記導入部分を含まないプロモーションプログラムも使用することができる。
【００２５】
また、多くの来客があり混雑する店舗では、センサが次々と人を感知してプロモーションプログラムの導入部分と宣伝部分が流れ続け、本発明の商品プロモーションプログラムのインパクトが薄れてしまうことが予想される。そこで連続して顧客がセンサに感知された時には、予め記憶媒体に収められた短い映像と音声を一時的に再生するように設定することも可能である。例えば、宣伝部分の再生中にセンサが別の顧客を感知した場合、現在の再生を一時中断して短い映像と音声を挿入した後に、先程まで再生していた宣伝部分の途中からあるいは最初から再生を行うことができる。このことにより、新たな顧客の興味を引くことが容易になる。
【００２６】
本実施例では記憶媒体としてＤＶＤを用いているが、プロモーションプログラムのフォーマット、例えばＭＰＥＧ１やＭＰＥＧ２、又はその容量に応じて、ＶＣＤやＣＤＲＯＭ、ＣＤＲ／ＲＷ、ＭＯ、フラッシュメモリやハードディスクなども使用可能である。また、その際には各種記憶媒体に対応したプレイヤーをプロモーションシステムに組込む必要がある。
【００２７】
センサについては、赤外線感知式（熱感知）、赤外線反射式、光学式などを使用可能であるが、本実施例では赤外線感知式センサを使用する。センサの有効範囲は様々であるが、本実施例では人がセンサの感知範囲２メートル以内に存在すると、センサユニットから信号が出力される。
【００２８】
また、前記センサは図７に示すように高さ方向に二つ設けることができる。本センサユニット１は身長差を利用することで大人と子供の識別が可能であり、子供の場合はセンサ１ａのみ反応し、大人の場合はセンサ１ａとセンサ１ｂが反応する。本センサユニット１使用し、子供向け、大人向けのそれぞれ異なるプロモーションプログラムを用意することで、顧客が子供の時は子供向けの商品のプロモーションプログラムを出力し、大人の時は大人向けの商品のプロモーションプログラムを出力することが可能である。
【００２９】
本実施例ではプロモーションプログラムの出力はセンサによる顧客の感知により行われるが、押しボタンなどを設けることにより、顧客が自由にプロモーションプログラムを見ることも可能である。即ち、繰り返し同じ映像を見たい、というような顧客の要求も満足させることができる。
【００３０】
【発明の効果】
本発明は以上説明したような形態で実施され、次のような効果を有する。
【００３１】
本発明の商品プロモーションシステムを使用することにより、待機部分の落ち着いた雰囲気から、導入部分、宣伝部分へのインパクトのある映像や音声への変化を通じて、顧客の購買意欲を高めることができる。
【００３２】
また、センサを高さ方向に複数設けることにより、顧客の身長差による子供と大人の識別が可能であり、大人向けの商品プロモーションと子供向けの商品プロモーションを自動で行うことができる。
【図面の簡単な説明】
【図１】本発明の商品プロモーションシステムにおいてＤＶＤプレイヤーを用いた実施例を示す図である。
【図２】本発明の商品プロモーションシステムにおいてノート型パソコンを用いた実施例を示す図である。
【図３】本発明の商品プロモーションシステムにおいて、センサユニットと記憶媒体の再生装置との各種組合せの実施例を示す図である。
【図４】本発明の商品プロモーションシステムにおいて、センサユニットと記憶媒体の再生装置との各種組合せの実施例を示す図である。
【図５】ＤＶＤに収められている、商品プロモーションプログラムの待機部分、導入部分、宣伝部分について模式的に示した図である。
【図６】商品プロモーションプログラムの構成についての実施例を示した図である。
【図７】大人と子供を識別可能なセンサユニットについて示した図である。
【符号の説明】
１  センサユニット
１ａ  センサ
１ｂ  センサ
２  ＤＶＤプレイヤー
３  ＤＶＤ
３ａ  トラック（待機部分）
３ｂ  トラック（導入部分、宣伝部分）
３ｃ  トラック（導入部分、宣伝部分）
３ｄ  トラック（導入部分、宣伝部分）
３ｅ  トラック（導入部分、宣伝部分）
４  モニタ
５  ノート型パソコン
６ａ  コネクタ
６ｂ  赤外線受信部
７  電源アダプタ
【図１】
2004287130.tif 000003
【図２】
2004287130.tif 000004
【図３】
2004287130.tif 000005
【図４】
2004287130.tif 000006
【図５】
2004287130.tif 000007
【図６】
2004287130.tif 000008
【図７】
2004287130.tif 000009